(57)【要約】      （修正有）【課題】折り重ね保持片と押圧片とのみによって箱状態を長期間の使用によって組み立て時と同様に強固な保形性を保持する組み立て容易な下箱と上蓋箱とからなる保形性に優れた表面側及び裏面側の両面を使用することのできるリバーシブルな組み立て箱を提供する。【解決手段】下箱に対して、前記下箱の上方より被嵌し得る組み立て自在の上蓋箱とからなる組み立て箱であって、前記上蓋箱は、展開状態にあっては、その中央部に上蓋板と、この上蓋板の上下左右にはそれぞれ上蓋枠板が折曲折可能に連設されると共に、上部上蓋枠板４ａと下部上蓋枠板４ｂにはそれぞれ、その外側に外側周巻板が連設され、上蓋枠板の外側に巻き込むと共に、組み立て時の外側周巻板の巻き込み状態にあっては、該外側周巻板の裏側位置に設けた係止片と上下上蓋枠板の表面に付設してある係止片とが係止するようにした。【選択図】図１
0003175175.tif 000002
【実用新案登録請求の範囲】
【請求項１】
下箱に対して、前記下箱の上方より被嵌し得る組み立て自在の上蓋箱とからなる組み立て箱であって、前記上蓋箱は、展開状態にあっては、その中央部に上蓋板と、この上蓋板の上下左右にはそれぞれ上蓋枠板が折曲折可能に連設されると共に、上部上蓋枠板と下部上蓋枠板にはそれぞれ、その外側に外側周巻板が連設され、上蓋枠板の外側に巻き込むと共に、組み立て時の外側周巻板の巻き込み状態にあっては、該外側周巻板の裏側位置に設けた係止片と上下上蓋枠板の表面に付設してある係止片とが係止するようにしたことを特徴とする組み立て箱。
【請求項２】
前記下箱は展開状態にあっては、底板と、底板の上下左右に周板とが折曲折可能に連設され、前記左右の周板の上下には折込補強周板がそれぞれ折曲折可能に連設されると共に上下周板の外端に該周板とほぼ同型の内折周板が連設され、更にこの内折周周板の外端部にはそれぞれ内折周周板の全長に接着テープを貼着してなり、下箱の組み立て状態にあっては、底板に対して左右上下の周板を内折すると共に、左右周板の上下の折込補強周板を上部周板及び下部周板の内面に沿わせた状態て上下内折周板を内折して折込補強周板の全長に接着テープ接着面にて左右内折周周板と中央内側部露出部とが接着されるようにしたなることを特徴とする請求項１記載の組み立て箱。
【請求項３】
下箱に対して、前記下箱の上方より被嵌し得る組み立て自在の上蓋箱とからなる組み立て箱であって、上蓋箱及び下箱に付設せられた組み立て時に必要な係止片及び接着テープの付設位置は、表面と裏面にそれぞれ同所同大の係止片及び接着テープを予め付設したことを特徴とする請求項１又は、請求項２記載の組み立て箱。
【考案の詳細な説明】
【技術分野】
【０００１】この考案は、主として子供用の比較的小型の上箱と下箱とが分離可能な一対の組み立て箱に関し、主として子供の大切なグッズや、ギフトボックスに利用できると共に、郵送に便利なように組み立て前の平面状態とし安価に郵送できるようにした組み立て箱に関する。【０００２】内部が空洞の組み立て箱を郵送する場合に嵩張ることにより当然郵送料が高価となる。又組み立て箱を組み立て状態で送ることとなれば輸送時に型崩れすることもある。不要な場合には展開状態で収納すれば嵩低状態のま収納できるから、親しい友人に組み立て箱として送るのに最適である。特に上蓋箱について裏面に自分で好みの模様や絵を描いて所定の位置にマジックテープを適宜に付設すれば上蓋箱は自由に自分作品のようなリバーシブルの上蓋箱を製作できる。
【背景技術】
【０００３】従来の組み立て用箱は、組み立てに当たって折り重ね保持片を側板に対して折り重ね、且つ、箱状態を保持するために、この折り重ね保持片を押圧保持するための押圧片が必要であったり、係止片は組み立て時の仮止めに使用するものであった。
【考案の概要】
【考案の解決しようとする課題】
【０００４】従来の組み立て箱では、折り重ね保持片と押圧片とのみによって箱状態を長期間の使用によって組み立て当所の箱と同様の強固な箱を保持することができず、箱の形状が緩みがちになることは避けられない。
【０００５】そこで、この考案は、一旦組み立てられた箱は長期間の使用に耐えて、その保形状態を維持することのできる組み立て箱を提供することを目的としたものである。
【課題を解決するための手段】
【０００６】この考案は上記の目的を達成するために、下箱に対して、前記下箱の上方より被嵌し得る組み立て自在の上蓋箱とからなる組み立て箱であって、前記上蓋箱は、展開状態にあっては、その中央部に上蓋板と、この上蓋板の上下左右にはそれぞれ上蓋枠板が折曲折可能に連設されると共に、上部上蓋枠板と下部上蓋枠板にはそれぞれ、その外側に外側周巻板が連設され、上蓋枠板の外側に巻き込むと共に、組み立て時の外側周巻板の巻き込み状態にあっては、該外側周巻板の裏側位置に設けた係止片と上下上蓋枠板の表面に付設してある係止片とが係止するように構成を採用したものである。
【０００７】更に、前記下箱は展開状態にあっては、底板と、底板の上下左右に周板とが曲折可能に連設され、前記左右の周板の上下には折込補強板がそれぞれ曲折可能に連設されると共に上下周板の外端に該周板とほぼ同型の内折周板が連設され、更にこの内折周板の外端部にはそれぞれ内折周板の全長に接着テープを貼着してなり、下箱の組み立て状態にあっては、底板に対して左右上下の周板を内折すると共に、左右周板の上下の折込補強周板を上部周板及び下部周板の内面に沿わせた状態で上下内折周板を内折して折込補強周板の全長に接着テープの接着面にて左右内折周周板と中央部露出部とが接着されるようにしてなるものである。
【０００８】また、下箱に対して、前記下箱の上方より被嵌し得る組み立て自在の上蓋箱とからなる組み立て箱であって、上蓋箱及び下箱に付設せられた組み立て時に必要な係止片及び接着テープの付設位置は、表面と裏面にそれぞれ同所同大の係止片及び接着テープを予め付設してなるものである。
【考案の効果】
【０００９】下箱及び上蓋箱は、係止片を使用してあるので一旦組み立てた状態では強固な保形性が得られ、組み立て前の状態では平状であるので安価に郵送できる。
使用しない状態では嵩低状態で、郵送、保管、廃棄することができる。又上蓋箱では、一対の係止可能な一対のマジックテープ片を付け替えるだけで上蓋箱をリバーシブルに使用することができる。
【考案を実施するための最良の形態】
【００１０】下箱に対して、前記下箱の上方より被嵌し得る組み立て自在の上蓋箱とからなる組み立て箱であって、前記上蓋箱は、展開状態にあっては、その中央部に上蓋板と、この上蓋板の上下左右にはそれぞれ上蓋枠板が曲折可能に連設されると共に、左右上蓋枠板の外側に外側周巻板が上下の上蓋枠板の外側に巻き込むと共に、外側周巻板の巻き込み状態にあっては、該外側周巻板の裏側位置に設けた係止片と上下上蓋枠板の表面に付設してある係止片とが係止するようにした組み立て箱としたものである。
【実施例１】
【００１１】下箱１及び上蓋箱２は、厚紙ないしは合成樹脂シートにて作成され、下箱１に対して、前記下箱の上方より被嵌し得る組み立て自在の上蓋箱２とからなる組み立て箱３０であって、図１に示す展開状態では裏面Ｂのみを表示してあるが、前記上蓋箱２は、裏面２１のみを表示してあるが、その中央部に上蓋板３と、上蓋板３の外側の上下左右にはそれぞれ上部上蓋枠板４ａ、下部上蓋枠板４ｂと、左側上蓋枠板４ｃと、及び右側上蓋枠板４ｄがそれぞれ折曲折可能に連設してあると共に、上部上蓋枠板４ａの左右にそれぞれ外側周巻係止板５ａ、５ｂが折曲折可能に連設されると共に下部上蓋枠板４ａの左右にはそれぞれ外側周巻係止板６ａ、６ｂが折曲折可能に連設されている。【００１２】外側周巻係止板５ａ、５ｂと外側周巻係止板６ａ、６ｂの裏面側の適宜位置にはマジックテープ（登録商標）のような係止片７が付設してある。前記この係止片７、７は上蓋箱２の裏面側であるが、図２では上蓋箱２の表面Ａのみ表示してある。前述の上蓋枠板４ｃと上蓋枠板４ｄに離間した位置に付設してある係止片８、８と組み立て時に係合するうようにしてある。上部上蓋枠板４ａ、下部上蓋枠板４ｂの表側の所定位置にマジックテープ片７、８と折り畳み状態には前記外側周巻板５ａ、５ｂと外側周巻板６ａ、６ｂ設置のマジックテープ片７、８とが係合する位置を選んで付設してあるものである。【００１３】以上は上蓋箱２の展開状態であるが、この展開状態から組み立てる場合は、図３に示すように、上蓋板３の四周の折り曲げ線９を内折りすると上蓋箱２を外形とする四角形状の立体的な形状が形成される。この状態において、上部の上蓋枠板４ａの左右に設けられた外側周巻係止板５ａ、５ｂ及び下部の上蓋枠板４ａの左右に設けられた外側周巻係止板６ａ、６ｂとを左側上蓋枠板４ｃ及び右側上蓋枠板４ｄに対して外側より内折して押圧すれば裏面に付設してあった係止片７は表面側に付設してあった係止片８と係合して図３に示すような上蓋箱２が形成される。
【実施例２】
【００１４】図４には下箱１は展開状態の裏面Ｂのみ表示してあるが、底板１１と、底板１１の上下左右に上部周板１２、下部周板１３及びその左右に左側周板１４と右側周板１５とが折曲線１６を境に折曲可能に連設してある。前記左側周板１４の上下に折込補強板１７、１７、右側周板１５の上下にそれぞれ折込補強板１８、１８とが連設してある。【００１５】更に、上部周板１２、下部周板１３の外端部にはそれぞれ上部内折補強周板１９及び下部内折補強周板２０が連設してある。この上部内折補強周板１９及び下部内折補強周板２０の外端部には両面接着テープ２１がそれぞれ設けてある。組み立て前では、この両面接着テープ２１の接着面の上面には離型紙が装着されている。両面テープ２１が予め付設してある。前記折込補強板１７、１７及び折込補強板１８、１８の長さはほぼ周板１２、１３の横長さの１／３程度である。その際前記上部折込補強周板１６ａ、１６ｂと下部折込補強周板１７、１７の折り込み長さの半分よりかなり短めに形成してある。【００１６】この状態で上記の展開図から下箱１を組み立てる場合には、底板１１より上下左右の周板１２、１３、１４、１５を順次に内折りしていくと下箱１の外形が立体的に形成されてくる。更に、左側周板１４と右側周板１５の上下にある折込補強周板１７、１８と折込補強周板１７、１８を上部周板１２、下部周板１３の内側面に沿わせせた状態でこの折込補強周板１７、１８とをを巻き込むように上部周板１２、下部周板１３と各折込補強周板１６、１７を巻き込んで折込補強周板１９の最下部両面テープ２１の接着面２３にて図７に示すように下部折込補強周板１６、１７と上部の周板１２及び下部の周板１３の中央部内側露出部２２と下部周板とを下箱の最下部にて一連にて接着することとなり下箱１の良好な保形状態を保つことになる。
【実施例３】
【００１７】実施例１及び実施例２に関連して上記に説明したが、図１及び図２には上蓋箱２の展開状態の裏面側Ｂと表面側Ａとがそれぞれ表示してあるが表面側の図１に付設してある裏側に付設してなる４箇所の係止片７及び図２の裏側に付設してなる４箇所の係止片８は、それぞれその反対面即ちＡ面には４箇所の係止片７ａと、図２の裏側に付設してなる４箇所の係止片８の反対面即ち表面には４箇所の係止片８ａが付設してあるものてある。【００１８】更に図４は下箱の裏面を表示したものであるが、この裏面に付設してある両面接着テープ２１の反対面、即ち表面側にも二箇所の両面接着テープ２１ａが付設してあるものである。こうすることで、上記実施例の下箱１と上蓋箱２の組み立て状態にある係合を外して、下箱１と上蓋箱２それぞれを反転させ上蓋箱２の４箇所の係止片７ａと４箇所の係止片８ａとを係合させれば図３の表裏を反転させた状態の上蓋箱２が完成する。
同様に、図６の接着を離脱せしめ、下箱１を反転させれば裏表を反転した状態の下箱１が完成する。【００１９】なお上記のように、リバーシブルの下箱１と上蓋箱２としたとき、箱の外側に係合片が露出するようになることがあるので、その部分を目立たなくするために係合片及び接着テープ等を透明性のものを使用するのが望ましい。
【産業上の利用の可能性】
【００２０】この考案は以上のように構成してあるのでマジックテープの付設位置を裏表を反転させて使用すれば上蓋箱及び下箱をリバーシブルな組み立て箱として利用することができる。一旦、使用した組み立て箱を一定期間使用した後に、使用者の好みに外観の模様を変更して使用することで使用者はその多用途性を楽しむことが出来る。また、郵送するばあいには全体を折り畳むと安価に郵送することができる。また、不要になれば最小容積にして廃棄することができる。
【図面の簡単な説明】
【００２１】
【図１】組み立て箱の上蓋箱の裏面の展開した状態の平面図である。
【図２】組み立て箱の上蓋箱の表面の展開した状態の平面図である。
【図３】組み立て箱の上蓋箱の組み立て状態を示す斜視図である。
【図４】組み立て箱の下箱の裏面の展開状態の平面図である。
【図５】組み立て箱の下箱の表面の展開状態の平面図である。
【図６】組み立て箱の下箱の組み立て状態を示す斜視図である。
【図７】６図Ｘ−Ｘ線の一部拡大断面図である。
【符号の説明】
【００２２】１．．．下箱
２．．．上蓋箱
３．．．上蓋板
４ａ．．上部上蓋枠板
４ｂ．．下部上蓋枠板
４ｃ．．左部上蓋枠板
４ｄ    右部上蓋枠板
５ａ．．外側周巻係止板
５ｂ．．外側周巻係止板
６ａ．．外側周巻係止板
６ｂ    外側周巻係止板
７  ．．裏面側係止片
８  ．．表面側係止片
７ａ．．表面側係止片
８ａ．．裏面側係止片
９．．．内折線
１１．．底板
１２．．上部周板
１３．．下部周板
１４．．左側周板
１５．．右側周板
１６．．内折線
１７．．折込補強板
１８．．折込補強板
１９．．折込補強周板
２０．．折込補強周板
２１．．両面接着テープ
２１ａ．両面接着テープ
２２．．内側露出部
２３．．接着面
Ａ  ．．表面
Ｂ  ．．裏面
【先行技術文献】
【００２３】組み立て箱としては、いろいろな文献があるが、いずれの組み立て紙箱であっても組み立てが簡単なこと、組み立て後はある程度の強度が必要なことが要請される。（例えば、特許文献１）
組み立て箱として接着テープを利用するものはあるが、組み立て時に仮止めのために接着テープを使用し、その後に接着部に接着剤塗布して本格的に接合する。（例えば、特許文献２）
なお、組み立て箱として展開状態の表面側と裏面側の両面に使用者側でリバーシブルに使用することのできる組み立て箱の文献はない。
【技術文献１】
特開２００１−３１５７５４  号
【技術文献２】
特開平６−１８３４４２号
【図１】
0003175175.tif 000003
【図２】
0003175175.tif 000004
【図３】
0003175175.tif 000005
【図４】
0003175175.tif 000006
【図５】
0003175175.tif 000007
【図６】
0003175175.tif 000008
【図７】
0003175175.tif 000009